(57)【要約】【課題】  例えば大型のインパクトレンチ等の比較的重量の大きな手持ち工具であって、工具本体の側部にハンドル部が側方へ突き出して設けられたＴ字形の手持ち工具において、誤って落下させてしまった場合にその損傷をより確実に防止するプロテクタ構造を提供する。【解決手段】  工具本体１０の先端に先端プロテクタ４０を取り付け、工具本体１０の後端に後端プロテクタ５０を取り付け、ハンドル部２０の先端にハンドルプロテクタ６０を取り付ける。これにより最も床面等に衝突し易い部位をより確実に保護することができる。【選択図】        図１
2006082195.tif 000002
【特許請求の範囲】
【請求項１】
先端部に出力軸を備えた工具本体と、該工具本体の側部から突き出すハンドル部を備えた手持ち工具において、
前記工具本体の先端部と後端部と前記ハンドル部の先端部にそれぞれ衝撃吸収用のプロテクタが取り付けられ、
前記工具本体の先端部に取り付けた先端プロテクタと前記工具本体の後端部に取り付けた後端プロテクタは、それぞれ前記工具本体の先端角部および後端角部を全周にわたって被覆する状態に取り付けられ、
前記ハンドル部の先端部に取り付けたハンドルプロテクタは、ブロック体形状を有して前記ハンドル部の先端面に取り付けられた構成としたプロテクタ構造。
【請求項２】
請求項１記載のプロテクタ構造であって、後端プロテクタは、駆動源としての電動モータを内蔵した工具本体の後面に設けられた冷却用空気の取り入れ口を避けて取り付けられた構成としたプロテクタ構造。
【請求項３】
請求項１記載のプロテクタ構造であって、後端プロテクタは、駆動源としての電動モータを内蔵した工具本体の側部に設けられたモータブラシ交換用の窓部を閉塞する蓋の脱落および損傷を防止するための蓋保護部を備えたプロテクタ構造。
【請求項４】
請求項１記載のプロテクタ構造であって、ハンドルプロテクタの中央に層通孔が設けられ、該挿通孔に、前記ハンドル部の先端に接続した電源コードを挿通させて該電源コードの基端部を保護する構成としたプロテクタ構造。
【発明の詳細な説明】
【技術分野】
【０００１】
この発明は、例えば大型のインパクトレンチ等であって比較的全体重量の大きな手持ち式工具において、その落下時の衝撃から躯体を保護するためのプロテクタ構造に関する。
【背景技術】
【０００２】
従来、この種のプロテクタ構造に関する技術として、例えば実開昭55-70970号公報には、工具本体の先端部と後端部にカバーを取り付けた構成が開示されている。また、特開2004-122279号公報には、工具本体の後端部とハンドル部の先端に衝撃吸収等を目的としたプロテクタを取り付けた構成が開示されている。
【特許文献１】実開昭55-70970号公報
【特許文献２】特開2004-122279号公報
【発明の開示】
【発明が解決しようとする課題】
【０００３】
しかしながら、上記従来のプロテクタ構造は、例えば全体重量が8kg程度の比較的大型の手持ち工具に適用した場合には、その落下時等における衝撃吸収能力が不十分であり、より大きな衝撃吸収能力を備えたプロテクタ構造を採用する必要があった。
本発明は、この問題に鑑みなされたもので、全体重量が比較的大きい手持ち工具であって、その落下時等における衝撃に対して十分な衝撃吸収能力を発揮するプロテクタ構造を提供することを目的とする。
【課題を解決するための手段】
【０００４】
このため、本発明は特許請求の範囲の各請求項に記載した構成のプロテクタ構造とした。
請求項１記載のプロテクタ構造によれば、工具本体の先端部と後端部とハンドル部の先端の３箇所にプロテクタが取り付けられている。３箇所のプロテクタのうち工具本体の先端部と後端部の各プロテクタが工具本体の先端角部と後端角部の全周にわたって取り付けらている。このため、当該手持ち工具を誤って落下させた場合に、工具本体の先端角部または後端角部が床面等に衝突した場合であってもこれら各プロテクタにより衝撃が吸収される。
また、当該手持ち工具を落下させた場合に、ハンドル部の先端部が床面等に衝突した場合であっても、ハンドルプロテクタによりその衝撃が吸収される。ハンドルプロテクタはブロック体形状を有してハンドル部の先端に取り付けられている。このため、落下時ハンドル部の先端が床面等に衝突した際の衝撃がこのハンドルプロテクタに吸収される。
このように、それぞれ十分な衝撃吸収能力を備えた３箇所のプロテクタにより保護されるため、例えば重量が8kg程度の比較的大型の手持ち工具であっても、その落下時等における衝撃に対して十分な衝撃吸収能力を発揮させることができる。
請求項２記載のプロテクタ構造によれば、上記の作用効果に加えて、駆動源としての電動モータの冷却性能を低下させることなく、工具本体の後端部の衝撃吸収能力を高めることができる。
請求項３記載のプロテクタ構造によれば、請求項１記載の構成による作用効果に加えて、通常工具本体の後端寄りの側部に設けられるモータブラシ交換用の窓部の蓋の脱落および損傷を防止することができる。
請求項４記載のプロテクタ構造によれば、請求項１記載の構成による作用効果に加えて、電源コードのハンドル先端に対する接続部（基端部）がハンドルプロテクタにより保護されるので、当該基端部に大きな曲げが発生することがなく、これにより電源コードの損傷を防止することができる。
【発明を実施するための最良の形態】
【０００５】
次に、本発明の実施形態を図１〜図５に基づいて説明する。図１および図２は、以下説明する本実施形態のプロテクタ構造Ｐを備えたインパクトレンチ１を示している。本例では、手持ち工具の一例として大型のインパクトレンチ１を例示している。
このインパクトレンチ１は、概ね円柱体形状の工具本体１０と、この工具本体１０の側部から突き出すように設けられたハンドル部２０と補助ハンドル部３０を備えている。本例のインパクトレンチ１は、工具本体１０に取り付けた先端プロテクタ４０と後端プロテクタ５０と、ハンドル部２０の先端に取り付けたハンドルプロテクタ６０を備えたプロテクタ構造Ｐに特徴を有するものであり、工具本体１０およびハンドル部２０の基本的構成等については従来構成と同様で足り、本実施形態において特に変更を要しない。従って、工具本体１０およびハンドル部２０の基本的構成については簡単に説明する。
工具本体１０は、円筒形状の本体ケース１１の内部に駆動源としての電動モータ１２を内蔵している。本体ケース１１の後端面には、モータ冷却用の空気取り入れ口１１ａ〜１１ａが設けられている。電動モータ１２の出力は、打撃機構１３を経て出力軸１４に伝達される。打撃機構１３は、モータの回転出力を回転方向の打撃動作に変換して出力軸１４に伝達する機能を有している。出力軸１４は、本体ケース１１の先端に設けたスリーブ１５の先端面から先端側を突き出した状態で回転自在に設けられている。出力軸１４にはねじ締め用のソケットが装着される。このスリーブ１５の外周面に先端プロテクタ４０が取り付けられ、本体ケース１１の後端部に後端プロテクタ５０が取り付けられている。
【０００６】
図３には、取り外した状態の先端プロテクタ４０が単独で示されている。この先端プロテクタ４０は、弾性ゴムにより製作されており、先端に出力軸１４を挿通するための挿通孔４０ａを有し、後端にスリーブ１５を嵌め込むための開口部４０ｂを有する概ね円錐台形状の椀形を有している。この先端プロテクタ４０によってスリーブ１５のほぼ全体が覆われている。この先端プロテクタ４０の開口部４０ｂの周縁には、内周側に盛り上がる係合部４０ｃが形成されている。図２に示すようにこの係合部４０ｃを、スリーブ１５の外周面に形成した係合凹部１５ａに嵌め込むことにより、当該先端プロテクタ４０がスリーブ１５の外周側に取り付けた状態に保持される。
この先端プロテクタ４０を取り付けることにより、工具本体１０の先端角部がその全周にわたってこの先端プロテクタ４０によって覆われる。このため、当該手持ち工具１を例えば誤って落下させてしまった場合に、工具本体１０の先端部が床面等に衝突した際の衝撃が吸収される。
【０００７】
次に、本体ケース１１の後端部から取り外した状態の後端プロテクタ５０が、図４に単独で示されている。この後端プロテクタ５０は、前記先端プロテクタ４０と同様弾性ゴムを素材として成形されたもので、先端側に本体ケース１１の後端部を嵌め込むための開口部５０ａを有する椀形を有している。この後端プロテクタ５０の後端には本体ケースの後面に形成した空気取り入れ口１１ａ〜１１ａを露出させるための逃がし孔５０ｂが形成されている。
また、この後端ケース５０の開口部５０ａには、二つの蓋部５０ｃ，５０ｃが相互に対向して設けられている。この蓋部５０ｃ，５０ｃは、本体ケース１１の後端部に取り付けた状態において、本体ケース１１の後部寄りの側面に設けたモータブラシ交換用の窓部１１ｂ，１１ｂを閉塞する機能を有している。両蓋部５０ｃ，５０ｃは、その弾性力により、それぞれ窓部１１ｂを塞いだ状態に保持される。この蓋部５０ｃ，５０ｃによれば、通常窓部１１ｂにねじ込まれて装着される円板形の蓋の窓部１１ｂに対する緩みおよび脱落を防止することができる。
この後端プロテクタ５０を工具本体１０の後端部に取り付けることにより、当該工具本体１０の後端角部がその全周にわたって覆われる。このため、当該手持ち工具１を例えば誤って落下させてしまった場合に、工具本体１０の後端角部が床面等に衝突した際の衝撃が吸収される。
また、この後端プロテクタ５０は逃がし孔５０ｂを備えることにより、本体ケース１１の空気取り入れ口１１ａ〜１１ａが閉塞されることがないので、工具本体１０のモータ冷却機能が損なわれることはない。
【０００８】
ハンドル部２０は、工具本体１０の長手方向ほぼ中程の位置から側方へ突き出すように設けられている。ハンドル部２０は、当該インパクトレンチ１を持ち運ぶ際、あるいは当該インパクトレンチ１を用いてねじ締め作業を行う場合に、使用者が把持する部位で、使用者が把持し易い太さおよび長さの棒状に形成されている。このハンドル部２０の先端にハンドルプロテクタ６０が取り付けられている。図５には、このハンドルプロテクタ６０がハンドル部２０の先端から取り外されて単独で示されている。
このハンドルプロテクタ６０は、弾性ゴムをブロック体形状に成形したもので、その上面中央にはハンドル部２０の先端に対する係合縁部６０ａが設けられている。この係合縁部６０ａを弾性変形させながら、ハンドル部２０の先端面に設けた係合凹部２０ａに嵌め込むことにより、当該ハンドルプロテクタ６０がハンドル部２０の先端に取り付けられる。また、係合縁部６０ａを変形させながら、係合凹部２０ａから引き出すことにより、当該ハンドルプロテクタ６０をハンドル部２０から取り外すことができる。
また、ハンドルプロテクタ６０の外径（太さ）は、ハンドル部２０の外径（太さ）より大きく設定されて、ハンドルプロテクタ６０がハンドル部２０の側面よりも側方へ張り出した状態に設けられている。このため、当該手持ち工具１を誤って落下させてしまった場合等においても、ハンドルプロテクタ６０が床面等に衝突するためハンドル部２０が直接床面等に衝突することが回避され、その結果当該ハンドル部２０に対する外部からの衝撃を低減することができる。
このハンドルプロテクタ６０の中央には、電源コード２１を挿通させるための挿通孔６０ｂが板厚方向に貫通して形成されている。この挿通孔６０ｂ内に電源コード２１の基端部２１ａが挿通されることにより、当該基端部２１ａの折れ曲がりあるいは損傷が防止される。図２に示すように、電源コード２１の基端部２１ａは、ゴムカバー２１ｂに覆われた状態でハンドル部２０の内部に進入しており、ハンドル部２０の内部において工具本体１０側と電気的に接続されている。
補助ハンドル３０は、上記ハンドル部２０の先端側において、取り付けバンド３１を工具本体１０に巻き付けて取り付けられている。この補助ハンドル３０は、ハンドル部２０の同じ方向へ平行に延びている。この補助ハンドル３０は、ハンドル部２０とほぼ平行に配置されている。作業者は、一方の手でハンドル部２０を把持し、他方の手でこの補助ハンドル３０を把持する。
【０００９】
以上のように構成した本実施形態のプロテクタ構造によれば、工具本体１０の先端部に先端プロテクタ４０が装着され、後端部に後端プロテクタ５０が装着されている。両プロテクタ４０，５０は、それぞれ工具本体１０の先端角部および後端角部を全周にわたって覆っている。さらに、工具本体１０の側部からＴ字形に突き出して設けられたハンドル部２０の先端には、ハンドルプロテクタ６０が取り付けられている。すなわち、例えば当該手持ち工具１を誤って落下させてしまった場合に床面等に最も衝突する可能性の高い部位、すなわち工具本体１０の先端部、後端部およびハンドル部２０の先端部がそれぞれプロテクタ４０，５０，６０により覆われているので、これらプロテクタ４０，５０，６０により衝突時の衝撃を吸収することにより当該手持ち工具１の損傷をより確実に防止することができる。
このように、概ねＴ字形をなす当該手持ち工具１の３箇所の先端部がそれぞれプロテクタ４０，５０，６０により保護されるため、例えば重量が8kg程度の比較的大型の手持ち工具１であっても、その落下時等における衝撃に対して十分な衝撃吸収能力を発揮させることができる。
また、後端プロテクタ５０には逃がし孔５０ｂが設けられて、本体ケース１１の空気取り入れ口１１ａ〜１１ａが閉塞されることがないので、工具本体１０のモータ冷却機能が損なわれることはない。
さらに、後端プロテクタ５０に設けた二つの蓋部５０ｃ，５０ｃによってモータブラシ交換用の窓部１１ｂ，１１ｂが閉塞されるので、通常窓部１１ｂ，１１ｂにねじ込まれて装着される円板形の蓋の窓部１１ｂに対する緩み若しくは脱落を防止することができる。
また、ハンドル部２０の先端に取り付けられたハンドルプロテクタ６０の挿通孔６０ｂに電源コード２１の基端部２１ｂが挿通されて、当該基端部２１ｂが折り曲げに対して保護される。すなわち、電源コード２１のハンドル先端に対する接続部（基端部２１ｂ）がハンドルプロテクタ６０により保護されるので、当該基端部２１ｂに大きな曲げが発生することがなく、これにより電源コード２１の損傷を防止することができる。
【００１０】
以上説明した実施形態には、種々変更を加えることができる。例えば、手持ち工具として比較的大型のインパクトレンチを例示したが、インパクトドライバあるいは手持ち式の切断機等その他各種の作業を行う手持ち式の工具に適用することができる。
また、後端プロテクタ５０に設けた蓋部５０ｃ，５０ｃは省略することができる。
さらに、ハンドルプロテクタ６０に挿通孔６０ｂを設けてこの挿通孔６０ｂに電源コード２１を挿通させることにより、電源コード２１の基端部２１ａを折れ曲がりを防止する構成を例示したが、例えば電源コードがその他の部位に接続されている場合には、挿通孔６０ｂを省略したハンドルプロテクタ６０をハンドル部２０の先端に取り付ける構成としてもよい。
【図面の簡単な説明】
【００１１】
【図１】本発明の実施形態に係るプロテクタ構造を備えた手持ち工具の全体側面図である。
【図２】本発明の実施形態に係るプロテクタ構造を備えた手持ち工具の全体側面図である。本図では、先端プロテクタ、後端プロテクタおよびハンドルプロテクタおよびこれらを装着した部位が縦断面で示されている。
【図３】先端プロテクタの全体斜視図である。
【図４】後端プロテクタの全体斜視図である。
【図５】ハンドルプロテクタの全体斜視図である。
【符号の説明】
【００１２】
１…手持ち工具（インパクトレンチ）
１０…工具本体
１１…本体ケース、１１ａ…空気取り入れ口、１１ｂ…窓部
１２…電動モータ
１３…打撃機構
１４…出力軸
１５…スリーブ
２０…ハンドル部、２０ａ…係合凹部
２１…電源コード、２１ａ…基端部、２１ｂ…ゴムカバー
３０…補助ハンドル
４０…先端プロテクタ、４０ａ…挿通孔、４０ｂ…開口部、４０ｃ…係合部
５０…後端プロテクタ、５０ａ…開口部、５０ｃ…蓋部
６０…ハンドルプロテクタ、６０ａ…係合縁部、６０ｂ…挿通孔
Ｐ…プロテクタ構造
【図１】
2006082195.tif 000003
【図２】
2006082195.tif 000004
【図３】
2006082195.tif 000005
【図４】
2006082195.tif 000006
【図５】
2006082195.tif 000007